(57)【要約】【課題】主に自動販売機等に用いられる硬貨収納装置に関し、硬貨の回収作業が容易に行え、使い易いものを提供することを目的とする。【解決手段】複数の収容部１１Ｂや１１Ｃが並列に連結されたケース１１に対し、所定方向へ移動可能に操作体１２を装着すると共に、この操作体１２とケース１１の間に押圧体１４Ａや１４Ｂを設け、操作体１２の移動に応じて押圧体１４Ａや１４Ｂの一端が、ケース１１の収容部１１Ｂや１１Ｃ内に突出するように形成することによって、操作体１２の操作に応じて押圧体１４Ａや１４Ｂが収容部１１Ｂや１１Ｃ内に突出し、釣銭用の所定枚数の硬貨を収容部１１Ｂや１１Ｃに残すことができるため、硬貨の回収作業が容易で、使い易い硬貨収納装置を得ることができる。【選択図】図１
2014123176.tif 000002
【特許請求の範囲】
【請求項１】
硬貨を収納する中空筒状の複数の収容部が並列に連結されたケースと、このケースに対し所定方向へ移動可能に装着された操作体と、上記ケースと操作体の間に設けられた押圧体からなり、上記操作体の移動に応じて上記押圧体の一端が、上記ケースの収容部内に突出する硬貨収納装置。
【請求項２】
操作体を所定位置に移動させる解除体を設けた請求項１記載の硬貨収納装置。
【発明の詳細な説明】
【技術分野】
【０００１】
本発明は、主に自動販売機等に用いられ、投入された硬貨を金種別に収納する硬貨収納装置に関するものである。
【背景技術】
【０００２】
近年、自動販売機内に装着された硬貨収納装置においては、投入された硬貨を金種別に収納すると共に、この収納された硬貨を定期的に回収する際には、一部の硬貨を釣銭用として残して回収する必要があり、こうした回収作業が容易に行え、使い易いものが求められている。
【０００３】
このような従来の硬貨収納装置について、図６を用いて説明する。
【０００４】
図６は従来の硬貨収納装置の斜視図であり、同図において、１は絶縁樹脂製のケースで、一端に開口部１Ａが設けられると共に、硬貨を金種別に収納する中空筒状の複数の収容部１Ｂや１Ｃが、並列に連結されて形成されている。
【０００５】
また、収容部１Ｂや１Ｃには所定の箇所に、例えば、１０円硬貨を収納する収容部１Ｂには溝状の挿通孔１Ｆが、１００円硬貨を収納する収容部１Ｃには同じく挿通孔１Ｇが設けられている。
【０００６】
さらに、２は絶縁樹脂製のカバー、３は板状で絶縁樹脂製の仕切体で、カバー２がケース１に装着されて、硬貨収納装置が構成されている。
【０００７】
そして、このように構成された硬貨収納装置が、各種センサや電子回路から形成された硬貨識別装置（図示せず）等と共に、自動販売機内に装着される。
【０００８】
以上の構成において、自動販売機の投入口から硬貨が投入されると、硬貨識別装置によって投入された硬貨の真贋や金種が判別された後、この硬貨が硬貨収納装置の所定の収容部、例えば、硬貨が１０円硬貨であった場合には収容部１Ｂに、１００円硬貨であった場合には収容部１Ｃに、金種別に収納される。
【０００９】
また、この収納された硬貨を回収する際には、自動販売機から硬貨収納装置を取り外した後、収容部１Ｂや１Ｃの挿通孔１Ｆや１Ｇに仕切体３を挿入してから、硬貨収納装置を傾けて開口部１Ａから硬貨を排出する。
【００１０】
なお、この時、挿通孔１Ｆや１Ｇには仕切体３が挿入されているため、収容部１Ｂや１Ｃ内の硬貨は所定枚数、例えば、収容部１Ｂ内の１０円硬貨は５０枚、収容部１Ｃ内の１００円硬貨は４５枚が、釣銭用として収容部１Ｂや１Ｃ内に残ったまま、硬貨の排出が行われる。
【００１１】
そして、この後、挿通孔１Ｆや１Ｇから仕切体３を抜き取り、収容部１Ｂや１Ｃ内に所定枚数の硬貨が残ったままの硬貨収納装置を、自動販売機内に再度装着して、硬貨の回収作業が終了する。
【００１２】
つまり、投入された硬貨を硬貨収納装置の収容部１Ｂや１Ｃ内に、金種別に収納すると共に、この収納された硬貨を回収する際には、挿通孔１Ｆや１Ｇに仕切体３を挿抜して、所定枚数の硬貨を釣銭用として収容部１Ｂや１Ｃ内に残した状態で、硬貨の回収が行えるように構成されているものであった。
【００１３】
なお、この出願の発明に関連する先行技術文献情報としては、例えば、特許文献１が知られている。
【先行技術文献】
【特許文献】
【００１４】
【特許文献１】特開２０１０−１４６１７８号公報
【発明の概要】
【発明が解決しようとする課題】
【００１５】
しかしながら、上記従来の硬貨収納装置においては、収納された硬貨を回収する際、収容部１Ｂや１Ｃの挿通孔１Ｆや１Ｇに仕切体３を挿入して、釣銭用の所定枚数の硬貨を残して回収を行い、硬貨を回収した後は、仕切体３を抜き取ってから、硬貨収納装置を自動販売機内に装着する必要があるため、硬貨の回収作業が煩雑で、手間がかかってしまうという課題があった。
【００１６】
本発明は、このような従来の課題を解決するものであり、硬貨の回収作業が容易に行え、使い易い硬貨収納装置を提供することを目的とする。
【課題を解決するための手段】
【００１７】
上記目的を達成するために本発明は、複数の収容部が並列に連結されたケースに対し、所定方向へ移動可能に操作体を装着すると共に、この操作体とケースの間に押圧体を設け、操作体の移動に応じて押圧体の一端が、ケースの収容部内に突出するようにして硬貨収納装置を構成したものであり、操作体の操作に応じて押圧体が収容部内に突出し、釣銭用の所定枚数の硬貨を収容部に残すことができるため、硬貨の回収作業が容易で、使い易い硬貨収納装置を得ることができるという作用を有するものである。
【発明の効果】
【００１８】
以上のように本発明によれば、硬貨の回収作業が容易に行え、使い易い硬貨収納装置を実現することができるという有利な効果が得られる。
【図面の簡単な説明】
【００１９】
【図１】本発明の一実施の形態による硬貨収納装置の断面図
【図２】同分解斜視図
【図３】同断面図
【図４】同断面図
【図５】同断面図
【図６】従来の硬貨収納装置の斜視図
【発明を実施するための形態】
【００２０】
以下、本発明の実施の形態について、図１〜図５を用いて説明する。
【００２１】
（実施の形態）
図１は本発明の一実施の形態による硬貨収納装置の断面図、図２は同分解斜視図であり、同図において、１１はポリカーボネート等の絶縁樹脂製のケースで、一端に開口部１１Ａが設けられると共に、硬貨を金種別に収納する中空筒状の複数の収容部１１Ｂや１１Ｃが、並列に連結されて形成されている。
【００２２】
そして、収容部１１Ｂや１１Ｃには所定の箇所に、例えば、１０円硬貨を収納する収容部１１Ｂには挿通孔１１Ｆが、１００円硬貨を収納する収容部１１Ｃには同じく挿通孔１１Ｇや１１Ｈが設けられている。
【００２３】
また、１２はポリカーボネート等の絶縁樹脂製の操作体、１３は同じく絶縁樹脂製のカバーで、カバー１３の開口孔１３Ａ内に、操作体１２がケース１１に対して左右に傾いた斜め方向へ移動可能に装着されると共に、操作体１２両側面から突出した軸部１２Ａが、カバー１３下面に形成された略Ｖ字状のカム部１３Ｂに当接している。
【００２４】
さらに、１４Ａ〜１４ＣはポリオキシメチレンやＡＢＳ等の絶縁樹脂製の押圧体で、ケース１１と操作体１２の間に配設されると共に、押圧体１４Ａ下端が収容部１１Ｂの挿通孔１１Ｆ内に、押圧体１４Ｂ下端が収容部１１Ｃの挿通孔１１Ｇ内に、押圧体１４Ｃ下端が収容部１１Ｃの挿通孔１１Ｈ内に、各々上下動可能に装着されている。
【００２５】
また、１５はコイル状に巻回された鋼や銅合金製のばねで、複数のばね１５がやや撓んだ状態で、押圧体１４Ａ〜１４Ｃとケース１１の間に装着されて、押圧体１４Ａ〜１４Ｃを上方へ付勢している。
【００２６】
そして、１６Ａと１６Ｂはポリカーボネート等の絶縁樹脂製の支持体で、支持体１６Ａ下面が押圧体１４Ａと１４Ｃ上面に、支持体１６Ｂ下面が押圧体１４Ｂ上面に各々弾接すると共に、支持体１６Ａと１６Ｂ上面が操作体１２下面に弾接して、操作体１２が上方へ付勢されている。
【００２７】
さらに、１７はポリオキシメチレン等の絶縁樹脂製の保持体で、複数の保持体１７が収容部１１Ｂや１１Ｃの、挿通孔１１Ｆや１１Ｇ、１１Ｈ下方に形成された開口溝内に、両端のばね部１７Ａをやや撓めた状態で装着されている。
【００２８】
また、１８Ａと１８ＢはＡＢＳ等の絶縁樹脂製の解除体で、カバー１３下面に摺動可能に装着されると共に、解除体１８Ａと１８Ｂの端部が操作体１２両端に当接して、硬貨収納装置が構成されている。
【００２９】
そして、このように構成された硬貨収納装置が、各種センサや電子回路から形成された硬貨識別装置（図示せず）等と共に、自動販売機内に装着される。
【００３０】
以上の構成において、自動販売機の投入口から硬貨が投入されると、硬貨識別装置によって投入された硬貨の真贋や金種が判別された後、この硬貨が硬貨収納装置の所定の収容部、例えば、硬貨が１０円硬貨であった場合には収容部１１Ｂに、１００円硬貨であった場合には収容部１１Ｃに、金種別に収納される。
【００３１】
また、この収納された硬貨を回収する際には、自動販売機から硬貨収納装置を取り外した後、例えば、図３の断面図に示すように、操作体１２を左斜め方向へ摺動操作すると、軸部１２Ａがカバー１３の略Ｖ字状のカム部１３Ｂの山部から傾斜部、底部へと左方へ弾接摺動して、操作体１２がやや下方へ降下しながら左斜め方向へ移動する。
【００３２】
さらに、この操作体１２下面に弾接した支持体１６Ａを介して、押圧体１４Ａが押圧されてばね１５を撓めながら下方へ移動し、押圧体１４Ａ下端が収容部１１Ｂに突出して、この箇所の当接した、例えば１０円の硬貨２０の上端を押圧し、一枚の硬貨２０が下方へ移動して下端が保持体１７を押圧するため、保持体１７がばね部１７Ａを撓めながら下方へ移動する。
【００３３】
なお、この時、右端が操作体１２左端に当接した解除体１８Ａが、操作体１２に押圧されて左方向へ摺動し、解除体１８Ａ左端がカバー１３から外方へ突出する。
【００３４】
そして、この状態で硬貨収納装置を傾けて開口部１１Ａから硬貨を排出すると、収容部１１Ｂ内には押圧体１４Ａ下端が突出し、これに押圧された一枚の硬貨２０が他の硬貨とはずれているため、この下方の所定枚数の硬貨、例えば５０枚の１０円硬貨は排出されず、釣銭用として収容部１１Ｂ内に残ったまま、押圧体１４Ａよりも上方に収納された硬貨のみが排出される。
【００３５】
また、図４の断面図に示すように、操作体１２を右斜め方向へ摺動操作した場合には、軸部１２Ａがカバー１３のカム部１３Ｂを右方へ弾接摺動し、操作体１２がやや下方へ降下しながら右斜め方向へ移動して、支持体１６Ｂを介して押圧体１４Ｂが押圧され、押圧体１４Ｂ下端が収容部１１Ｃに突出する。
【００３６】
さらに、この押圧体１４Ｂ下端が、例えば１００円の硬貨２１の上端を押圧して、硬貨２１やこれに押圧された保持体１７が下方へ移動すると共に、操作体１２右端に押圧された解除体１８Ｂの右端が、カバー１３から外方へ突出する。
【００３７】
そして、この状態で硬貨収納装置を傾けて開口部１１Ａから硬貨を排出した場合には、押圧体１４Ｂ下端が収容部１１Ｃ内に突出しているため、この下方の所定枚数の硬貨、例えば４５枚の１００円硬貨は排出されず、これが釣銭用として収容部１１Ｃ内に残ったまま、押圧体１４Ｂよりも上方に収納された硬貨のみが排出される。
【００３８】
なお、以上の説明では、操作体１２や押圧体１４Ａ、１４Ｂ等の動きを判り易くするため、操作体１２を左あるいは右斜め方向に摺動操作して、押圧体１４Ａまたは１４Ｂの一方のみを、収容部１１Ｂや１１Ｃ内に突出させる構成として説明したが、実際には操作体１２の操作によって、複数の押圧体１４Ａ〜１４Ｃの移動が行われる。
【００３９】
つまり、例えば、操作体１２を左斜め方向に摺動操作した場合には、押圧体１４Ａと１４Ｂが収容部１１Ｂと１１Ｃ内に突出して、収容部１１Ｂ内に５０枚の１０円硬貨、収容部１１Ｃ内に４５枚の１００円硬貨が残った状態となり、右斜め方向に摺動操作した場合には、押圧体１４Ａと１４Ｃが収容部１１Ｂと１１Ｃ内に突出して、収容部１１Ｂ内に５０枚の１０円硬貨、収容部１１Ｃ内に２５枚の１００円硬貨が、釣銭用として残されるようになっている。
【００４０】
そして、この後、収容部１１Ｂや１１Ｃ内に所定枚数の硬貨が残ったままの硬貨収納装置を、自動販売機内に再度装着して、硬貨の回収作業が終了するが、この時、操作体１２の左あるいは右斜め方向への操作によって、カバー１３から外方へ突出した解除体１８Ａや１８Ｂが、自動販売機の枠体（図示せず）等に当接して、操作体１２が中立位置へ復帰するように構成されている。
【００４１】
すなわち、例えば図３に示したように、解除体１８Ａ左端がカバー１３から外方へ突出した状態で、硬貨収納装置を自動販売機内に装着した場合には、図５の断面図に示すように、枠体等が解除体１８Ａ左端に当接し、解除体１８Ａが押圧されて右方向へ摺動して、解除体１８Ａ右端に押圧された操作体１２が、軸部１２Ａがカム部１３Ｂの底部から傾斜部、山部へと弾接摺動して、やや上方へ上昇しながら右斜め方向へ移動する。
【００４２】
そして、押圧体１４Ａがばね１５によって付勢されて上方へ移動し、収容部１１Ｂ内に突出した下端が硬貨２０の上端から離れると共に、保持体１７がばね部１７Ａに付勢されて硬貨２０を押し上げ、図３に示したような、軸部１２Ａがカム部１３Ｂの山部に弾接した、中立位置に操作体１２が復帰する。
【００４３】
つまり、手で操作体１２を操作して中立位置に戻し、この後、硬貨収納装置を自動販売機内に装着し直すことも可能であるが、操作体１２を左あるいは右斜め方向へ操作したままで自動販売機に装着しても、上記のように、カバー１３から外方へ突出した解除体１８Ａや１８Ｂが枠体等によって押圧されて、操作体１２が中立位置に戻り、押圧体１４Ａ〜１４Ｃの下端が収容部１１Ｂや１１Ｃ内から上方へ移動するようになっている。
【００４４】
すなわち、投入された硬貨２０や２１を硬貨収納装置の収容部１１Ｂや１１Ｃ内に、金種別に収納すると共に、この収納された硬貨２０や２１を回収する際には、操作体１２を左あるいは右斜め方向へ摺動操作することで、所定枚数の硬貨を釣銭用として収容部１１Ｂや１１Ｃ内に残した状態で、硬貨の回収が行えるように構成されている。
【００４５】
そして、本発明においては、上述したように、複数の収容部１１Ｂや１１Ｃが並列に連結されたケース１１に対し、所定方向へ移動可能に装着された操作体１２を、左あるいは右斜め方向へ摺動操作することによって、押圧体１４Ａ〜１４Ｃ下端を収容部１１Ｂや１１Ｃに突出させて、釣銭用の所定枚数の硬貨２０や２１を、収容部１１Ｂや１１Ｃに残すことができるため、使い易く、硬貨の回収作業を容易に行うことが可能なようになっている。
【００４６】
つまり、収容部１１Ｂや１１Ｃに収納された硬貨を回収する際、操作体１２を左あるいは右斜め方向へ摺動操作するだけで、他の部品の挿抜等の作業を行う必要はなく、簡易に釣銭用の所定枚数の硬貨を、収容部１１Ｂや１１Ｃに残すことができるように構成されている。
【００４７】
さらに、解除体１８Ａや１８Ｂを設けることで、操作体１２の左あるいは右斜め方向への摺動操作によって、カバー１３から外方へ突出した解除体１８Ａや１８Ｂを、硬貨収納装置を自動販売機内に再度装着する際に、枠体等によって押圧して操作体１２を中立位置へ復帰させることができるため、手で操作体１２を操作して中立位置へ戻す必要もなく、より簡易に硬貨の回収作業を行うことができるようになっている。
【００４８】
なお、以上の説明では、操作体１２の摺動操作によって、１０円硬貨を収納する収容部１１Ｂや、１００円硬貨を収納する収容部１１Ｃ内に、押圧体１４Ａ〜１４Ｃ下端を突出させる構成について説明したが、これらに並列に連結された５０円硬貨や５００円硬貨等の、他の金種の硬貨を収納する他の収容部にも押圧体を設け、これらを操作体１２の操作によって突出させる構成としても、本発明の実施は可能である。
【００４９】
また、以上の説明では、カバー１３の開口孔１３Ａ内の操作体１２を、左あるいは右斜め方向へ摺動操作することによって、収容部１１Ｂや１１Ｃ内に、押圧体１４Ａ〜１４Ｃ下端を突出させる構成について説明したが、操作体１２をカバー１３側面から突出させた構成や、あるいは、所定箇所を支点として操作体１２を揺動操作する構成等、様々な操作方式のものとしても、本発明の実施は可能である。
【００５０】
このように本実施の形態によれば、複数の収容部１１Ｂや１１Ｃが並列に連結されたケース１１に対し、所定方向へ移動可能に操作体１２を装着すると共に、この操作体１２とケース１１の間に押圧体１４Ａや１４Ｂを設け、操作体１２の移動に応じて押圧体１４Ａや１４Ｂの一端が、ケース１１の収容部１１Ｂや１１Ｃ内に突出するように形成することによって、操作体１２の操作に応じて押圧体１４Ａや１４Ｂが収容部１１Ｂや１１Ｃ内に突出し、釣銭用の所定枚数の硬貨を収容部１１Ｂや１１Ｃに残すことができるため、硬貨の回収作業が容易で、使い易い硬貨収納装置を得ることができるものである。
【００５１】
また、操作体１２を所定位置、例えば中立位置に移動させる解除体１８Ａや１８Ｂを設けることで、操作体１２の摺動操作によって、カバー１３から外方へ突出した解除体１８Ａや１８Ｂを、硬貨収納装置を自動販売機内に再度装着する際に、枠体等によって押圧して操作体１２を中立位置へ復帰させることができるため、手で操作体１２を操作して中立位置へ戻す必要もなく、より簡易に硬貨の回収作業を行うことができる。
【産業上の利用可能性】
【００５２】
本発明による硬貨収納装置は、硬貨の回収作業が容易に行え、使い易いものを得ることができるという有利な効果を有し、主に自動販売機等に用いられる硬貨収納装置として有用である。
【符号の説明】
【００５３】
１１  ケース
１１Ａ  開口部
１１Ｂ、１１Ｃ  収容部
１１Ｆ、１１Ｇ、１１Ｈ  挿通孔
１２  操作体
１２Ａ  軸部
１３  カバー
１３Ａ  開口孔
１３Ｂ  カム部
１４Ａ、１４Ｂ、１４Ｃ  押圧体
１５  ばね
１６Ａ、１６Ｂ  支持体
１７  保持体
１７Ａ  ばね部
１８Ａ、１８Ｂ  解除体
２０、２１  硬貨
【図１】
2014123176.tif 000003
【図２】
2014123176.tif 000004
【図３】
2014123176.tif 000005
【図４】
2014123176.tif 000006
【図５】
2014123176.tif 000007
【図６】
2014123176.tif 000008